(57)【要約】      （修正有）【課題】ｐＨ調整剤の溶解速度を向上させることが可能なｐＨ調整装置を提供する。【解決手段】原子炉格納容器内に配設され、原子炉格納容器内を冷却する冷却水によりｐＨ調整溶液を流出可能なｐＨ調整装置５０であって、鉛直下方向に凸形状を有し、ｐＨ調整剤を収容可能な収容部７１を備える。【選択図】図３
2014109486.tif 000002
【特許請求の範囲】
【請求項１】
原子炉格納容器内に配設され、原子炉格納容器内を冷却する冷却水によりｐＨ調整溶液を流出可能なｐＨ調整装置であって、
鉛直下方向に凸形状を有し、ｐＨ調整剤を収容可能な収容部を備えたことを特徴とするｐＨ調整装置。
【請求項２】
鉛直上方向に凸形状を有し、前記収容部の鉛直下方向に位置し、前記収容部から流出したｐＨ調整溶液を拡散する拡散部材を更に備えたことを特徴とする請求項１に記載のｐＨ調整装置。
【請求項３】
所定の第１間隙を空けて鉛直方向に積層された複数の前記収容部を備えたことを特徴とする請求項１又は２に記載のｐＨ調整装置。
【請求項４】
原子炉格納容器内に配設され、原子炉格納容器内を冷却する冷却水によりｐＨ調整溶液を流出可能なｐＨ調整装置であって、
透水性の部材で構成され、軸線方向が鉛直方向となるように原子炉格納容器内に吊り下げられた外筒と、
透水性の部材で構成され、軸線方向が鉛直方向となるように前記外筒内に配置された内筒と、
前記外筒と前記内筒とを連結する底材と、
前記外筒と前記内筒と前記底材とで画成され、ｐＨ調整剤を収容可能な収容部と、
を備えたことを特徴とするｐＨ調整装置。
【請求項５】
前記底材は、透水性の部材で構成されていることを特徴とする請求項４に記載のｐＨ調整装置。
【請求項６】
原子炉格納容器内に配設され、原子炉格納容器内を冷却する冷却水によりｐＨ調整溶液を流出可能なｐＨ調整装置であって、
ｐＨ調整剤を収容可能な収容部と、
透水性の部材で構成され、軸線方向が鉛直方向となるように前記収容部の底部に立設された少なくとも１つの筒状部材と、
を備えたことを特徴とするｐＨ調整装置。
【請求項７】
原子炉格納容器内に配設され、原子炉格納容器内を冷却する冷却水によりｐＨ調整溶液を流出可能なｐＨ調整装置であって、
ｐＨ調整剤を収容可能な収容部を有するバスケットと、
原子炉格納容器内を流れ落ちる冷却水を前記バスケットの上に導く導水手段と、
を備えたことを特徴とするｐＨ調整装置。
【請求項８】
ｐＨ調整剤を収容可能な収容部を有し、前記導水手段上に配置された第２のバスケットを更に備えたことを特徴とする請求項７に記載のｐＨ調整装置。
【請求項９】
前記第２のバスケットは、原子炉格納容器内を水が流れ落ちる水路の鉛直下方向に位置することを特徴とする請求項８に記載のｐＨ調整装置。
【請求項１０】
前記導水手段は、その先端部に水を堰き止める堰き止め部を備えることを特徴とする請求項７に記載のｐＨ調整装置。
【請求項１１】
原子炉格納容器内に配設され、原子炉格納容器内を冷却する冷却水によりｐＨ調整溶液を流出可能なｐＨ調整装置であって、
ｐＨ調整剤を収容可能な収容部を有し、前記収容部は鉛直下方向に開口部を有する筐体と、
前記開口部を閉鎖する扉と、
前記扉に連結され、前記扉を開放する開放手段と、
を備え、
前記開放手段は、原子炉格納容器内の水が流入したら、流入した水の荷重により鉛直下方向に変位して前記扉を開放させる水容器を備えることを特徴とするｐＨ調整装置。
【請求項１２】
前記開放手段は、原子炉格納容器内の水を吸水する吸水部材を更に備えることを特徴とする請求項１１に記載のｐＨ調整装置。
【請求項１３】
前記開放手段は、前記水容器を支持する支持手段を更に備えることを特徴とする請求項１２に記載のｐＨ調整装置。
【請求項１４】
原子炉格納容器内に配設され、原子炉格納容器内を冷却する冷却水によりｐＨ調整溶液を流出可能なｐＨ調整装置であって、
内部にｐＨ調整剤を収納し、原子炉格納容器内に吊り下げられた袋部材と、
前記ｐＨ調整剤の荷重の少なくとも一部を支持するとともに、前記扉を開放する開放手段と、
を備え、
前記開放手段は、原子炉格納容器内の水が流入したら、流入した水の荷重により鉛直下方向に変位する水容器を備え、支持していた前記ｐＨ調整剤の荷重の少なくとも一部を減少させることにより、前記袋部材を開放させることを特徴とするｐＨ調整装置。
【請求項１５】
前記袋部材の開放は、前記ｐＨ調整剤の荷重が前記袋部材の固縛部にかかることにより、固縛がほどけることを特徴とする請求項１４に記載のｐＨ調整装置。
【請求項１６】
前記袋部材の開放は、前記ｐＨ調整剤の荷重が前記袋部材にかかることにより、前記袋部材が破けることを特徴とする請求項１４に記載のｐＨ調整装置。
【請求項１７】
前記袋部材は、透水性の部材であり、
前記袋部材の中に吸水部材が収納されていることを特徴とする請求項１４〜１６のいずれか１項に記載のｐＨ調整装置。
【請求項１８】
前記開放手段は、前記水容器を支持する支持手段を更に備えることを特徴とする請求項１４〜１７のいずれか１項に記載のｐＨ調整装置。
【発明の詳細な説明】
【技術分野】
【０００１】
本発明は、原子炉格納容器内に格納された原子炉の異常時において、原子炉格納容器内のｐＨを調整するｐＨ調整装置に関するものである。
【背景技術】
【０００２】
一般的な原子力発電プラントとして、加圧水型原子炉を備えたものが知られており、加圧水型原子炉は、原子炉格納容器に格納されている。このとき、異常事態を想定して、原子炉格納容器周りには、原子炉格納容器内の圧力を低減すべく、原子炉格納容器内に冷却水を散布するスプレイ設備が設けられている。
【０００３】
ところで、このような原子力発電プラントにおいて、原子炉格納容器内の外周壁付近の基礎レベル（床上）に、リン酸三ナトリウム（ＴＳＰ）等のｐＨ調整剤を収めたメッシュのバスケットを配置するものが知られている（例えば、非特許文献１参照）。
【０００４】
この構成によれば、異常時において、スプレイ設備により冷却水が散布されると、原子炉格納容器内の底部は冷却水で満たされる。すると、原子炉格納容器内の床上に配設したバスケットは水没し、バスケットの内部に納められたｐＨ調整剤がメッシュを介して冷却水に溶け出す。この後、ｐＨ調整剤が溶け出した冷却水（ｐＨ調整溶液）を、スプレイ設備により原子炉格納容器内で循環させることにより、原子炉格納容器内のｐＨを調整することが可能となる。
【０００５】
そして、原子炉格納容器内のｐＨを調整することにより、原子炉格納容器内の放射性ヨウ素をｐＨ調整溶液中に留めたり、原子炉格納容器内の構造材料や各種機器の酸化による耐久力の低下を抑制することができる。
【０００６】
ところで、異常事態の早期沈静化を図るべく、スプレイ設備によりｐＨ調整溶液を原子炉格納容器内において、早急に循環させることが要求されている。このため、冷却水に水没したバスケットから溶け出すｐＨ調整剤の溶解速度を、早くすることが好ましい。なお、非特許文献１に係るバスケットの構成については、開示されていない。
【０００７】
また、本出願人は、異常事態の早期沈静化を図ることが可能なバスケット及びｐＨ調整装置を提案した（例えば、特許文献１参照）。
【先行技術文献】
【特許文献】
【０００８】
【特許文献１】国際公開第２００９／１２５７９２号
【非特許文献１】J.  A.  Reinhart  Site  Director/Fort  Calhoun  Station  、「Fort  Calhoun  Station,  Unit  No.1  License  Amendment  Request(LAR)  “Change  of  Containment  Building  Sump  Buffering  Agent  from  Trisodium  Phosphate  to  Sodium  Tetraborate”」、[online]、２００６年８月２１日、U.S.NRC、[２００８年３月１０日検索]、インターネット〈URL:http://www.nrc.gov/  →  Electronic  Reading  Room  を選択  →  Documents  in  ADAMS  を選択  →  Web-based  access  を選択  →  Begin  ADAMS  Search  を選択  →  「ML062340039」を入力  →  Rank  6.  (80)  を選択〉
【発明の概要】
【発明が解決しようとする課題】
【０００９】
異常事態の沈静化を更に早期化し、スプレイ設備によりｐＨ調整溶液を原子炉格納容器内において、更に早急に循環させることが求められている。
【００１０】
そこで、本発明は、ｐＨ調整剤の溶解速度を向上させることが可能なｐＨ調整装置を提供することを課題とする。
【課題を解決するための手段】
【００１１】
本発明のｐＨ調整装置は、原子炉格納容器内に配設され、原子炉格納容器内を冷却する冷却水によりｐＨ調整溶液を流出可能なｐＨ調整装置であって、鉛直下方向に凸形状を有し、ｐＨ調整剤を収容可能な収容部を備えたことを特徴とする。
【００１２】
この場合、鉛直上方向に凸形状を有し、前記収容部の鉛直下方向に位置し、前記収容部から流出したｐＨ調整溶液を拡散する拡散部材を更に備えることが、好ましい。
【００１３】
また、これらの場合、所定の第１間隙を空けて鉛直方向に積層された複数の前記収容部を備えることが、好ましい。
【００１４】
また、本発明のｐＨ調整装置は、原子炉格納容器内に配設され、原子炉格納容器内を冷却する冷却水によりｐＨ調整溶液を流出可能なｐＨ調整装置であって、透水性の部材で構成され、軸線方向が鉛直方向となるように原子炉格納容器内に吊り下げられた外筒と、透水性の部材で構成され、軸線方向が鉛直方向となるように前記外筒内に配置された内筒と、前記外筒と前記内筒とを連結する底材と、前記外筒と前記内筒と前記底材とで画成され、ｐＨ調整剤を収容可能な収容部と、を備えたことを特徴とする。
【００１５】
この場合、前記底材は、透水性の部材で構成されていることが、好ましい。
【００１６】
また、本発明のｐＨ調整装置は、原子炉格納容器内に配設され、原子炉格納容器内を冷却する冷却水によりｐＨ調整溶液を流出可能なｐＨ調整装置であって、ｐＨ調整剤を収容可能な収容部と、透水性の部材で構成され、軸線方向が鉛直方向となるように前記収容部の底部に立設された少なくとも１つの筒状部材と、を備えたことを特徴とする。
【００１７】
また、本発明のｐＨ調整装置は、原子炉格納容器内に配設され、原子炉格納容器内を冷却する冷却水によりｐＨ調整溶液を流出可能なｐＨ調整装置であって、ｐＨ調整剤を収容可能な収容部を有するバスケットと、原子炉格納容器内を流れ落ちる冷却水を前記バスケットの上に導く導水手段と、を備えたことを特徴とする。
【００１８】
この場合、ｐＨ調整剤を収容可能な収容部を有し、前記導水手段上に配置された第２のバスケットを更に備えることが、好ましい。
【００１９】
また、この場合、前記第２のバスケットは、原子炉格納容器内を水が流れ落ちる水路の鉛直下方向に位置することが、好ましい。
【００２０】
また、この場合、前記導水手段は、その先端部に水を堰き止める堰き止め部を備えることが、好ましい。
【００２１】
また、本発明のｐＨ調整装置は、原子炉格納容器内に配設され、原子炉格納容器内を冷却する冷却水によりｐＨ調整溶液を流出可能なｐＨ調整装置であって、ｐＨ調整剤を収容可能な収容部を有し、前記収容部は鉛直下方向に開口部を有する筐体と、前記開口部を閉鎖する扉と、前記扉に連結され、前記扉を開放する開放手段と、を備え、前記開放手段は、原子炉格納容器内の水が流入したら、流入した水の荷重により鉛直下方向に変位して前記扉を開放させる水容器を備えることを特徴とする。
【００２２】
この場合、前記開放手段は、原子炉格納容器内の水を吸水する吸水部材を更に備えることが、好ましい。
【００２３】
また、この場合、前記開放手段は、前記水容器を支持する支持手段を更に備えることが、好ましい。
【００２４】
また、本発明のｐＨ調整装置は、原子炉格納容器内に配設され、原子炉格納容器内を冷却する冷却水によりｐＨ調整溶液を流出可能なｐＨ調整装置であって、内部にｐＨ調整剤を収納し、原子炉格納容器内に吊り下げられた袋部材と、前記ｐＨ調整剤の荷重の少なくとも一部を支持するとともに、前記扉を開放する開放手段と、を備え、前記開放手段は、原子炉格納容器内の水が流入したら、流入した水の荷重により鉛直下方向に変位する水容器を備え、支持していた前記ｐＨ調整剤の荷重の少なくとも一部を減少させることにより、前記袋部材を開放させることを特徴とする。
【００２５】
この場合、前記袋部材の開放は、前記ｐＨ調整剤の荷重が前記袋部材の固縛部にかかることにより、固縛がほどけることが、好ましい。
【００２６】
また、この場合、前記袋部材の開放は、前記ｐＨ調整剤の荷重が前記袋部材にかかることにより、前記袋部材が破けることが、好ましい。
【００２７】
また、この場合、前記袋部材は、透水性の部材であり、前記袋部材の中に吸水部材が収納されていることが、好ましい。
【００２８】
また、この場合、前記開放手段は、前記水容器を支持する支持手段を更に備えることが、好ましい。
【発明の効果】
【００２９】
請求項１のｐＨ調整装置によれば、ｐＨ調整剤を収容する収容部を鉛直下方向に凸形状とすることにより、収容部の中央付近のｐＨ調整剤を水に触れさせることができる。これにより、従来溶解しづらかった収容部の中央付近のｐＨ調整剤の溶解が容易となり、ｐＨ調整剤の溶解速度を早くすることができるので、原子炉格納容器内におけるｐＨ調整溶液の循環を早急に行うことができ、異常事態の早期沈静化を図ることができる。
【００３０】
請求項２のｐＨ調整装置によれば、鉛直上方向に凸形状を有し、収容部の鉛直下方向に位置する拡散部材により、収容部から流出したｐＨ調整溶液を拡散することができる。これにより、ｐＨ調整剤の拡散速度を早くすることができるので、原子炉格納容器内におけるｐＨ調整溶液の循環を早急に行うことができ、異常事態の早期沈静化を図ることができる。
【００３１】
請求項３のｐＨ調整装置によれば、ｐＨ調整剤を収容する収容部を、鉛直方向に積層して複数設けることにより、各収容部間の第１間隙に冷却水を流入させることができるため、冷却水とｐＨ調整剤との接触面積を増大させることができる。これにより、ｐＨ調整剤の溶解速度を早くすることができるので、原子炉格納容器内におけるｐＨ調整溶液の循環を早急に行うことができ、異常事態の早期沈静化を図ることができる。
【００３２】
請求項４のｐＨ調整装置によれば、透水性の部材で構成され、軸線方向が鉛直方向となるように原子炉格納容器内に吊り下げられた外筒と、透水性の部材で構成され、軸線方向が鉛直方向となるように外筒内に配置された内筒と、外筒と内筒とを連結する底材と、外筒と内筒と底材とで画成され、ｐＨ調整剤を収容可能な収容部と、を備えることにより、水が外筒及び内筒から収容部に浸水するので、ｐＨ調整剤の溶解が容易となり、ｐＨ調整剤の溶解速度を早くすることができるので、原子炉格納容器内におけるｐＨ調整溶液の循環を早急に行うことができ、異常事態の早期沈静化を図ることができる。
【００３３】
請求項５のｐＨ調整装置によれば、底材は、透水性の部材で構成されており、水が底材から収容部に浸水するので、ｐＨ調整剤の溶解が容易となり、ｐＨ調整剤の溶解速度を早くすることができるので、原子炉格納容器内におけるｐＨ調整溶液の循環を早急に行うことができ、異常事態の早期沈静化を図ることができる。
【００３４】
請求項６のｐＨ調整装置によれば、ｐＨ調整剤を収容可能な収容部と、透水性の部材で構成され、軸線方向が鉛直方向となるように収容部の底部に立設された少なくとも１つの筒状部材と、を備えており、水が筒状部材から収容部に浸水するので、ｐＨ調整剤の溶解が容易となり、ｐＨ調整剤の溶解速度を早くすることができるので、原子炉格納容器内におけるｐＨ調整溶液の循環を早急に行うことができ、異常事態の早期沈静化を図ることができる。
【００３５】
請求項７のｐＨ調整装置によれば、ｐＨ調整剤を収容可能な収容部を有するバスケットと、原子炉格納容器内を流れ落ちる冷却水をバスケットの上に導く導水手段と、を備えており、水位が収容部に達するより前に水が収容部に浸水し、ｐＨ調整剤の溶解速度を早くすることができるので、原子炉格納容器内におけるｐＨ調整溶液の循環を早急に行うことができ、異常事態の早期沈静化を図ることができる。
【００３６】
請求項８のｐＨ調整装置によれば、ｐＨ調整剤を収容可能な収容部を有し、導水手段上に配置された第２のバスケットを更に備えており、水位が第１のバスケットに達するより前に水が第２のバスケットに浸水し、ｐＨ調整剤の溶解速度を早くすることができるので、原子炉格納容器内におけるｐＨ調整溶液の循環を早急に行うことができ、異常事態の早期沈静化を図ることができる。
【００３７】
請求項９のｐＨ調整装置によれば、第２のバスケットは、原子炉格納容器内を水が流れ落ちる水路の鉛直下方向に位置しており、流れ落ちる水の勢いで第２のバスケット内のｐＨ調整剤が溶解し、ｐＨ調整剤の溶解速度を早くすることができるので、原子炉格納容器内におけるｐＨ調整溶液の循環を早急に行うことができ、異常事態の早期沈静化を図ることができる。
【００３８】
請求項１０のｐＨ調整装置によれば、導水手段は、その先端部に水を堰き止める堰き止め部を備えており、堰き止められた水が勢いよくバスケットに降り注ぎ、ｐＨ調整剤の溶解速度を早くすることができるので、原子炉格納容器内におけるｐＨ調整溶液の循環を早急に行うことができ、異常事態の早期沈静化を図ることができる。
【００３９】
請求項１１のｐＨ調整装置によれば、ｐＨ調整剤を収容可能な収容部を有し、収容部は鉛直下方向に開口部を有する筐体と、開口部を閉鎖する扉と、扉に連結され、扉を開放する開放手段と、を備え、開放手段は、原子炉格納容器内の水が流入したら、流入した水の荷重により鉛直下方向に変位して扉を開放させる水容器を備えており、原子炉格納容器内の水位が上昇して水が水容器に流入したら扉が開放され、ｐＨ調整剤が水中に落下するので、ｐＨ調整剤の溶解を早くすることができ、原子炉格納容器内におけるｐＨ調整溶液の循環を早急に行うことができ、異常事態の早期沈静化を図ることができる。
【００４０】
請求項１２のｐＨ調整装置によれば、開放手段は、原子炉格納容器内の水を吸水する吸水部材を更に備えており、吸水部材に吸水された水の荷重が扉にかかるので、扉の開放を早く、確実にすることができ、ｐＨ調整剤の溶解を早く、確実にすることができ、原子炉格納容器内におけるｐＨ調整溶液の循環を早急、確実に行うことができ、異常事態の早期沈静化を図ることができる。
【００４１】
請求項１３のｐＨ調整装置によれば、開放手段は、水容器を支持する支持手段を更に備えており、原子炉が通常状態のときに誤って扉が開放してしまう可能性を低減することができる。
【００４２】
請求項１４のｐＨ調整装置によれば、内部にｐＨ調整剤を収納し、原子炉格納容器内に吊り下げられた袋部材と、ｐＨ調整剤の荷重の少なくとも一部を支持するとともに、扉を開放する開放手段と、を備え、開放手段は、原子炉格納容器内の水が流入したら、流入した水の荷重により鉛直下方向に変位する水容器を備え、支持していたｐＨ調整剤の荷重の少なくとも一部を減少させることにより、袋部材を開放させるので、原子炉格納容器内の水位が上昇して水が水容器に流入したら袋部材が開放され、ｐＨ調整剤が水没し、ｐＨ調整剤の溶解を早くすることができ、原子炉格納容器内におけるｐＨ調整溶液の循環を早急に行うことができ、異常事態の早期沈静化を図ることができる。
【００４３】
請求項１５のｐＨ調整装置によれば、袋部材の開放は、ｐＨ調整剤の荷重が袋部材の固縛部にかかることにより、固縛がほどけるので、袋部材の開放を早く、確実にすることができ、ｐＨ調整剤の溶解を早く、確実にすることができ、原子炉格納容器内におけるｐＨ調整溶液の循環を早急、確実に行うことができ、異常事態の早期沈静化を図ることができる。
【００４４】
請求項１６のｐＨ調整装置によれば、袋部材の開放は、ｐＨ調整剤の荷重が袋部材にかかることにより、袋部材が破けるので、袋部材の開放を早く、確実にすることができ、ｐＨ調整剤の溶解を早く、確実にすることができ、原子炉格納容器内におけるｐＨ調整溶液の循環を早急、確実に行うことができ、異常事態の早期沈静化を図ることができる。
【００４５】
請求項１７のｐＨ調整装置によれば、袋部材は、透水性の部材であり、袋部材の中に吸水部材が収納されており、袋部材を透過した水が吸水部材に吸水され、吸水された水の荷重が袋部材にかかるので、袋部材の開放を早く、確実にすることができ、ｐＨ調整剤の溶解を早く、確実にすることができ、原子炉格納容器内におけるｐＨ調整溶液の循環を早急、確実に行うことができ、異常事態の早期沈静化を図ることができる。
【００４６】
請求項１８のｐＨ調整装置によれば、開放手段は、水容器を支持する支持手段を更に備えており、原子炉が通常状態のときに誤って扉が開放してしまう可能性を低減することができる。
【図面の簡単な説明】
【００４７】
【図１】図１は、第１の実施の形態に係るｐＨ調整装置を適用した原子力発電プラントの概略構成図である。
【図２】図２は、第１の実施の形態に係るｐＨ調整装置を適用したｐＨ調整システムの概略構成図である。
【図３】図３は、第１の実施の形態に係るｐＨ調整装置の外観斜視図である。
【図４】図４は、図３の平面Ａにおいて切断したｐＨ調整装置の断面図である。
【図５】図５は、図３の平面Ｂにおいて切断したｐＨ調整装置の断面図である。
【図６】図６は、図３の平面Ｂにおいて切断したｐＨ調整装置の断面図である。
【図７】図７は、第２の実施の形態に係るｐＨ調整装置の側面図である。
【図８】図８は、図７の矢印Ａ２から見たｐＨ調整装置の底面図である。
【図９】図９は、第２の実施の形態に係るｐＨ調整装置の側面図である。
【図１０】図１０は、第３の実施の形態に係るｐＨ調整装置の外観斜視図である。
【図１１】図１１は、図１０の平面Ｃにおいて切断したｐＨ調整装置の断面図である。
【図１２】図１２は、図１０の平面Ｃにおいて切断したｐＨ調整装置の断面図である。
【図１３】図１３は、第４の実施の形態に係るｐＨ調整装置の側面図である。
【図１４】図１４は、図１３のバスケットの外観斜視図である。
【図１５】図１５は、図１４の平面Ｄにおいて切断したバスケットの断面図である。
【図１６】図１６は、図１４の平面Ｅにおいて切断したバスケットの断面図である。
【図１７】図１７は、第４の実施の形態に係るｐＨ調整装置の側面図である。
【図１８】図１８は、第５の実施の形態に係るｐＨ調整装置の側面図である。
【図１９】図１９は、第６の実施の形態に係るｐＨ調整装置の側面図である。
【図２０】図２０は、第６の実施の形態に係るｐＨ調整装置の側面図である。
【図２１】図２１は、第７の実施の形態に係るｐＨ調整装置の側面図である。
【図２２】図２２は、第７の実施の形態に係るｐＨ調整装置の側面図である。
【図２３】図２３は、第７の実施の形態に係るｐＨ調整装置の側面図である。
【発明を実施するための形態】
【００４８】
以下、添付した図面を参照して、本発明にかかるｐＨ調整装置を適用した原子力発電プラントについて説明する。なお、以下の実施例によりこの発明が限定されるものではない。
【００４９】
＜第１の実施の形態＞
第１の実施の形態にかかる原子力発電プラントは、原子炉として加圧水型原子炉（ＰＷＲ：Pressurized  Water  Reactor）が用いられている。加圧水型の原子力発電プラントは、原子炉において、一次冷却材となる軽水を加熱した後、高温となった軽水をポンプにより蒸気発生器に送る。そして、原子力発電プラントは、蒸気発生器において、高温となった軽水を、二次冷却材と熱交換させることにより二次冷却材を蒸発させ、蒸発した二次冷却材（蒸気）をタービンに送って発電機を駆動させることにより、発電を行っている。
【００５０】
ここで、図１は、第１の実施の形態に係るｐＨ調整装置を適用した原子力発電プラントの概略構成図であり、図２は、第１の実施の形態に係るｐＨ調整装置を適用したｐＨ調整システムの概略構成図である。また、図３は、第１の実施の形態に係るｐＨ調整装置の外観斜視図である。さらに、図４は、図３の平面Ａにおいて切断したｐＨ調整装置の断面図であり、図５は、図３の平面Ｂにおいて切断したｐＨ調整装置の断面図である。先ず、図１を参照して、原子力発電プラントの構成について簡単に説明する。
【００５１】
図１に示すように、原子力発電プラント１は、原子炉５と、コールドレグ６ａ及びホットレグ６ｂから成る一対の冷却材配管６ａ，６ｂを介して原子炉５に接続された蒸気発生器７とを有している。また、一対の冷却材配管６ａ，６ｂのホットレグ６ｂには、加圧器８が介設されると共に、コールドレグ６ａには、冷却材ポンプ９が介設されている。そして、原子炉５、一対の冷却材配管６ａ，６ｂ、蒸気発生器７、加圧器８及び冷却材ポンプ９により、原子力発電プラント１の一次冷却系統３が構成され、これらは、原子炉格納容器１０に収容されている。
【００５２】
上記の構成において、一次冷却材となる軽水は、原子炉５からホットレグ６ｂを通って蒸気発生器７に流入し、この後、蒸気発生器７内を通過して流出した軽水は、コールドレグ６ａを通って原子炉５内に流入する。つまり、軽水は、原子炉５と蒸気発生器７との間を循環している。また、軽水には、原子炉５の核分裂反応により発生した中性子を減速すべく、ホウ酸が溶解されており、軽水は酸性となっている。つまり、軽水は、冷却材及び中性子減速材として用いられている。
【００５３】
原子炉５は、上記したように加圧水型原子炉であり、その内部は軽水で満たされている。そして、原子炉５内には、多数の燃料集合体１５が収容されると共に、燃料集合体１５の核分裂を制御する多数の制御棒１６が各燃料集合体１５に挿入可能に設けられている。
【００５４】
制御棒１６により核分裂反応を制御しながら燃料集合体１５を核分裂させると、この核分裂により熱エネルギーが発生する。発生した熱エネルギーは軽水を加熱し、加熱された軽水は、ホットレグ６ｂを介して蒸気発生器７へ送られる。一方、コールドレグ６ａを介して蒸気発生器７から送られてきた軽水は、原子炉５内に流入して、原子炉５内を冷却する。
【００５５】
ホットレグ６ｂに介設された加圧器８は、高温となった軽水を加圧することにより、軽水の沸騰を抑制している。また、蒸気発生器７は、高温高圧となった軽水を、二次冷却材と熱交換させることにより、二次冷却材を蒸発させて蒸気を発生させ、且つ、高温高圧となった軽水を冷却している。冷却材ポンプ９は、一次冷却系統３において軽水を循環させており、軽水を蒸気発生器７からコールドレグ６ａを介して原子炉５へ送り込むと共に、軽水を原子炉５からホットレグ６ｂを介して蒸気発生器７へ送り込んでいる。
【００５６】
ここで、原子力発電プラント１の一次冷却系統３における一連の動作について説明する。原子炉５内の核分裂反応により発生した熱エネルギーにより、軽水が加熱されると、加熱された軽水は、冷却材ポンプ９によりホットレグ６ｂを介して蒸気発生器７に送られる。ホットレグ６ｂを通過する高温の軽水は、加圧器８により加圧されることで沸騰が抑制され、高温高圧となった状態で、蒸気発生器７に流入する。蒸気発生器７に流入した高温高圧の軽水は、二次冷却材と熱交換を行うことにより冷却され、冷却された軽水は、冷却材ポンプ９によりコールドレグ６ａを介して原子炉５に送られる。そして、冷却された軽水が原子炉５に流入することで、原子炉５が冷却される。
【００５７】
また、原子力発電プラント１は、蒸気管２１を介して蒸気発生器７に接続されたタービン２２と、タービン２２に接続された復水器２３と、復水器２３と蒸気発生器７とを接続する復給水管２６に介設された給水ポンプ２４と、を有しており、これらにより二次冷却系統２０が構成されている。そして、二次冷却系統２０を循環する二次冷却材は、蒸気発生器７において蒸発して気体（蒸気）になると共に、復水器２３において気体から液体に戻される。なお、上記のタービン２２には、発電機２５が接続されている。
【００５８】
蒸気管２１を介して蒸気発生器７から蒸気がタービン２２に流入すると、タービン２２は回転を行う。タービン２２が回転すると、タービン２２に接続された発電機２５は、発電を行う。この後、タービン２２から流出した蒸気は復水器２３に流入する。復水器２３は、その内部に冷却管２７が配設されており、冷却管２７の一方には冷却水（例えば、海水）を供給するための取水管２８が接続され、冷却管２７の他方には冷却水を排水するための排水管２９が接続されている。そして、復水器２３は、タービン２２から流入した蒸気を冷却管２７により冷却することで、蒸気を液体に戻している。液体となった二次冷却材は、給水ポンプ２４により復給水管２６を介して蒸気発生器７に送られる。蒸気発生器７に送られた二次冷却材は、蒸気発生器７において一次冷却材と熱交換を行うことにより再び蒸気となる。
【００５９】
ところで、原子力発電プラント１には、異常事態を想定して、原子炉格納容器１０内を冷却すると共に、放射性ヨウ素の揮発や構造材料等の耐久力の低下を抑制するためのｐＨ調整システム３０が組み込まれている。以下、図２を参照して、第１の実施の形態におけるｐＨ調整システム３０について簡単に説明する。
【００６０】
このｐＨ調整システム３０は、上記したように、異常時において、原子炉格納容器１０の内部を冷却すると共に、放射性ヨウ素の揮発や構造材料等の耐久力の低下を抑制するためのものである。図２に示すように、ｐＨ調整システム３０は、上記の原子炉格納容器１０と、原子炉格納容器１０内の底部に設けられた燃料取替用水ピット３５と、燃料取替用水ピット３５に貯留されたホウ酸水（冷却水）を原子炉格納容器１０の内部に散布可能なスプレイ設備３６と、原子炉格納容器１０内のｐＨを調整するためのｐＨ調整装置５０とを備えている。
【００６１】
図２に示すように、原子炉格納容器１０には、燃料取替用水ピット３５の上方に作業フロア４３が形成されており、この作業フロア４３には、スプレイ設備３６のスプレイリング４５（詳細は後述）から散布されたホウ酸水が、燃料取替用水ピット３５に返流するように、返流管路が形成されている。
【００６２】
燃料取替用水ピット３５は、原子炉格納容器１０の底部に配設され、その内部はホウ酸水により常時満たされている。通常、このホウ酸水は、上記の燃料集合体１５を取り替える際に用いられるが、原子炉５の異常時において、このホウ酸水は、原子炉格納容器１０内を冷却する冷却水としても用いられる。なお、このホウ酸水は、後述するｐＨ調整剤の溶媒としても用いられる。
【００６３】
ｐＨ調整装置５０は、原子炉格納容器１０の床に配置されている。ｐＨ調整装置５０は、通常時において、燃料取替用水ピット３５内のホウ酸水に浸らない位置に配置されている。ｐＨ調整装置５０は、異常時において、後述するように燃料取替用水ピット３５内のホウ酸水の水位が上昇すると、ホウ酸水に浸るようになっている。
【００６４】
スプレイ設備３６は、原子炉格納容器１０内の天井付近に設けられたスプレイリング４５と、スプレイリング４５と燃料取替用水ピット３５とを接続するスプレイ配管４７と、スプレイ配管４７に介設されたスプレイポンプ４６と、を有している。従って、スプレイ設備３６が作動すると、スプレイポンプ４６は、燃料取替用水ピット３５に貯留されたホウ酸水を汲み上げて、スプレイリング４５に供給し、スプレイリング４５から原子炉格納容器１０内へホウ酸水を散布する。
【００６５】
次に、図３乃至図５を参照して、第１の実施の形態に係るｐＨ調整装置５０について説明する。このｐＨ調整装置５０は、複数の開口部が形成されたバスケットフレーム６０と、バスケットフレーム６０に張られる金網６１と、バスケットフレーム６０を支持する４つの脚部６２と、を備えている。
【００６６】
バスケットフレーム６０は、その長手側の側面が略「Ｖ」字状且つ短手側の側面が方形状に構成されており、その上面及び下面には、上面開口部６５及び下面開口部が形成され、上面開口部６５には目の粗い金網６１が張られ、下面開口部には目の細かい金網６１が張られている。つまり、目の細かい金網６１とは、粉末状のｐＨ調整剤がこぼれ落ちず、且つ、ホウ酸水に溶解したｐＨ調整剤（ｐＨ調整溶液）が漏出可能となる金網である。
【００６７】
ｐＨ調整剤としては、例えば、四ホウ酸ナトリウム十水和物（ＮａＴＢ）が用いられており、ホウ酸水に溶解し易いように粉末状に構成されている。なお、本実施の形態では、ｐＨ調整剤としてＮａＴＢを用いたが、これに限らず、リン酸三ナトリウム（ＴＳＰ）等を用いてもよい。
【００６８】
また、バスケットフレーム６０の２つの短手側の側面のそれぞれには、方形状の側面開口部６７が、２つの長手側の側面のそれぞれには、略「Ｖ」字状の側面開口部６７が、形成されており、この４つの側面開口部６７のそれぞれに、長手方向に略「Ｖ」字状の６つの水平フレーム６８を、所定の間隙を空けて鉛直方向に配設することで、分割された７つの分割側面開口部７０を形成している。つまり、７つの分割側面開口部７０は、鉛直方向に積層して形成されており、各分割側面開口部７０は長手方向に略「Ｖ」字状に開口されている。そして鉛直方向に積層された７つの分割側面開口部７０のうち、上方から１つ目、３つ目、５つ目、７つ目の４つの分割側面開口部７０には、目の細かい金網６１が張られており、上方から２つ目、４つ目、６つ目の３つの分割側面開口部７０は、そのまま開口した状態となっている。
【００６９】
また、６つの水平フレーム６８は四方の側面開口部６７にそれぞれ設けられており、四方の側面開口部６７における上方から１つ目の四方の水平フレーム６８は四周枠状に構成されている。そして、この枠内には目の細かい金網６１が張られている。同様に、四方の側面開口部６７における上方から他の目の四方の水平フレーム６８も四周枠状に構成され、この枠内には目の細かい金網６１が張られている。つまり、上面に張られた金網６１と下面に張られた金網６１との間には、６つの金網６１が張られている（図４及び図５参照）。
【００７０】
このため、ｐＨ調整装置５０には、金網６１で区画された長手方向略「Ｖ」字状の４つの画成部が鉛直方向に４つ積層して形成されており、この４つの画成部が、ｐＨ調整剤を収容する収容部７１となっている。つまり、収容部７１は、長手側の側面が略「Ｖ」字状の形状となっている。また、４つの収容部７１は、所定の第１間隙Ｌ１を介して鉛直方向に積層して配設されている。
【００７１】
このバスケットフレーム６０を支持する４つの脚部６２は、バスケットフレーム６０の下面の四隅に設けられており、バスケットフレーム６０に一体形成されている。
【００７２】
また、４つの脚部６２には、拡散部材としての底板６３が取り付けられている。底板６３は、長手側の側面が上に凸の三角形状となっている。なお、最下層の金網６１の下端部と底板６３の頂部とは、離間していても良いし、接していても良い。
【００７３】
ここで、上記のｐＨ調整装置５０における一連の動作について説明する。異常事態が発生すると、先ず、スプレイ設備３６が作動する。すなわち、スプレイポンプ４６が駆動して、燃料取替用水ピット３５からホウ酸水を汲み上げ、汲み上げたホウ酸水を、スプレイリング４５を介して、原子炉格納容器１０の内部へ散布する。このとき、スプレイリング４５から散布されたホウ酸水は、原子炉格納容器１０内を冷却する。
【００７４】
また、異常事態が発生すると、原子炉格納容器１０内を冷却するための冷却水が原子炉格納容器１０内に注水される。これにより、原子炉格納容器１０内の水位が上昇する。また、一次冷却系統３の配管が破断すると、一次冷却系統３内の一次冷却水が原子炉格納容器１０内に漏水し、これによっても原子炉格納容器１０内の水位が上昇する。
【００７５】
図６に示すように、原子炉格納容器１０内の水位Ｗが上昇すると、先ず最下層のｐＨ調整剤の最下の部位、つまり略「Ｖ」字状の先端部Ｂが水没する。これにより、先端部ＢのｐＨ調整剤が溶解する。以降、原子炉格納容器１０内の水位Ｗが更に上昇して行くと、ｐＨ調整剤の低い部位から高い部位へと順次水没し、溶解する。
【００７６】
ここで、バスケットフレーム６０を直方体状にし、長手側の分割側面開口部７０を長方形状にし、収容部７１を直方体状に構成し、ｐＨ調整剤を直方体状に充填することも考えられる。しかし、その場合、ｐＨ調整剤の辺縁部から水に接して溶解するので、ｐＨ調整剤の中央部が水に接しづらく溶解しづらい。
【００７７】
一方、本実施の形態によれば、収容部７１の長手側の側面が略「Ｖ」字状となっており、ｐＨ調整剤の長手側の側面が略「Ｖ」字状に充填されている。そのため、原子炉格納容器１０内の水位Ｗが上昇すると、ｐＨ調整剤の中央の先端部Ｂから水没する。これにより、中央の先端部Ｂが十分に水に接して溶解しやすく、ｐＨ調整剤の溶解速度を向上させることができる。また、原子炉格納容器１０内の水位Ｗが更に上昇して行くと、ｐＨ調整剤の低い部位から高い部位へと順次水没して行くので、ｐＨ調整剤の各部位が水位Ｗの上昇に伴い十分に水に接して溶解しやすく、ｐＨ調整剤の溶解速度を向上させることができる。
【００７８】
また、ｐＨ調整装置５０は、ｐＨ調整剤を収容する４つの収容部７１が第１間隙Ｌ１を介して鉛直方向に積層されて配設されることにより、３つの第１間隙Ｌ１内にホウ酸水を流入させることができるため、ホウ酸水とｐＨ調整剤との接触面積を増大させることができる。これにより、ｐＨ調整剤の溶解速度を向上させることができる。
【００７９】
そして、生成されたｐＨ調整溶液は、燃料取替用水ピット３５に流入する。燃料取替用水ピット３５へ流入したｐＨ調整溶液は、燃料取替用水ピット３５内のホウ酸水と混合し、この後、燃料取替用水ピット３５においてｐＨ調整溶液が混合したホウ酸水を、スプレイポンプ４６により汲み上げ、汲み上げたホウ酸水を、スプレイリング４５を介して、原子炉格納容器１０の内部へ散布する。これにより、ｐＨ調整溶液が原子炉格納容器１０内を循環することで、原子炉格納容器１０内のｐＨが調整されると共に、原子炉格納容器１０内が冷却される。
【００８０】
また、本実施の形態では、４つの脚部６２に、長手側の側面が上に凸の三角形状の底板６３が取り付けられている。そのため、先端部Ｂで生成されたｐＨ調整溶液は、底板６３の上面に沿って矢印Ａ１の方向に流れて拡散される。これにより、ｐＨ調整溶液の拡散速度を向上させることができる。
【００８１】
以上の構成によれば、ｐＨ調整装置５０において、ｐＨ調整剤を収容する収容部７１の長手側の側面を略「Ｖ」字状とすることで、ｐＨ調整剤の溶解速度を向上させることができる。このため、原子炉格納容器１０内におけるｐＨ調整溶液の循環を早急に行うことができ、異常事態の早期沈静化を図ることができる。また、長手側の側面が上に凸の三角形状の底板６３を設けることで、ｐＨ調整溶液の拡散速度を向上させることができる。このため、原子炉格納容器１０内におけるｐＨ調整溶液の循環を早急に行うことができ、異常事態の早期沈静化を図ることができる。
【００８２】
なお、本実施の形態においては、収容部７１の長手側の側面を略「Ｖ」字状としたが、これに限定されず、鉛直下方向（重力方向）に凸形状であれば良い。例えば、収容部７１の長手側の側面を略「Ｕ」字状としても良い。また、収容部７１の下面を錐形状としても良い。また、底板６３の長手側の側面を上に凸の三角形状としたが、これに限定されず、鉛直上方向（重力と反対方向）に凸形状であれば良い。例えば、底板６３の長手側の側面を略逆「Ｕ」字状としても良い。また、底板６３の上面を錐形状としても良い。また、収容部７１を多層構造としたが、他の実施の形態のように単層構造としても良い。
【００８３】
＜第２の実施の形態＞
次に、図７乃至図９を参照して、第２の実施の形態に係るｐＨ調整装置について説明する。図７に示すように、ｐＨ調整装置８０は、１つ又は複数（ここでは、４つ）の筒状部材８１を備えている。筒状部材８１は、その軸線方向が鉛直方向（重力方向）となるように、作業フロア４３の下面に吊り下げられている。なお、ここでは筒状部材８１が作業フロア４３の下面に吊り下げられることとしているが、原子炉格納容器１０内に架け渡された他の梁材に吊り下げられるようにしても良い。
【００８４】
筒状部材８１は、外筒８２と、内筒８３と、底材８４と、を備えている。外筒８２、内筒８３及び底材８４は、目の細かい金網で構成されている。目の細かい金網とは、粉末状のｐＨ調整剤がこぼれ落ちず、且つ、ホウ酸水に溶解したｐＨ調整剤（ｐＨ調整溶液）が漏出可能となる金網である。
【００８５】
図８は、図７の矢印Ａ２方向から筒状部材を見た図である。図７及び図８に示すように、外筒８２及び内筒８３は、円筒状の形状を有している。内筒８３は、その軸線方向が外筒８２の軸線方向に沿うように、外筒８２内に配置されている。底材８４は、リング状の形状を有しており、外筒８２の下端と内筒８３の下端とに接続されている。これら外筒８２、内筒８３及び底材８４により形成される空間が、ｐＨ調整剤を収容する収容部８５となっている。つまり、収容部８５は、軸線方向が鉛直方向に延在する円筒状の形状となっている。
【００８６】
次に、ｐＨ調整装置８０の作用について説明する。異常事態が発生すると、原子炉格納容器１０内を冷却するための冷却水が原子炉格納容器１０内に注水される。これにより、原子炉格納容器１０内の水位が上昇する。また、一次冷却系統３の配管が破断すると、一次冷却系統３内の一次冷却水が原子炉格納容器１０内に漏水し、これによっても原子炉格納容器１０内の水位が上昇する。
【００８７】
図９に示すように、原子炉格納容器１０内の水位Ｗが上昇すると、先ず筒状部材８１の下端側が水没する。このとき、外筒８２を金網としているので、外筒８２の網目から水が収容部８５に浸水する。これにより、ｐＨ調整剤を溶解させ漏出させることができる。さらに、内筒８３も金網としているので、内筒８３の網目からも水が収容部８５に浸水する。これにより、ｐＨ調整剤の溶解速度を向上させることができる。さらに、底材８４も金網としているので、底材８４の網目からも水が収容部８５に浸水する。これにより、ｐＨ調整剤の溶解速度を更に向上させることができる。
【００８８】
さらに、収容部８５の水没している部分のｐＨ調整剤が溶解すると、収容部８５の水没していない部分のｐＨ調整剤が、その自重により収容部８５内の下方の水没部分に落下し、水没して溶解し漏出する。つまり、収容部８５の浸水している部分のｐＨ調整剤が溶解し漏出するばかりでなく、収容部８５の浸水していない部分のｐＨ調整剤も、溶解し漏出することになる。これにより、ｐＨ調整剤の溶解速度を更に向上させることができる。
【００８９】
そして、生成されたｐＨ調整溶液は、外筒８２、内筒８３及び底材８４の網目から筒状部材８１の外部に流出し、燃料取替用水ピット３５に流入する。燃料取替用水ピット３５へ流入したｐＨ調整溶液は、燃料取替用水ピット３５内のホウ酸水と混合し、この後、燃料取替用水ピット３５においてｐＨ調整溶液が混合したホウ酸水を、スプレイポンプ４６により汲み上げ、汲み上げたホウ酸水を、スプレイリング４５を介して、原子炉格納容器１０の内部へ散布する。これにより、ｐＨ調整溶液が原子炉格納容器１０内を循環することで、原子炉格納容器１０内のｐＨが調整されると共に、原子炉格納容器１０内が冷却される。
【００９０】
以上の構成によれば、ｐＨ調整装置８０において、ｐＨ調整剤を収容する筒状部材８１の外筒８２を金網とすることで、水を外筒８２の網目から収容部８５に浸水させ、ｐＨ調整剤を溶解させることができる。また、内筒８３を金網とすることで、水を内筒８３の網目からも収容部８５に浸水させ、ｐＨ調整剤の溶解速度を向上させることができる。このため、原子炉格納容器１０内におけるｐＨ調整溶液の循環を早急に行うことができ、異常事態の早期沈静化を図ることができる。また、底材８４を金網とすることで、水を底材８４の網目からも収容部８５に浸水させ、ｐＨ調整剤の溶解速度を更に向上させることができる。このため、原子炉格納容器１０内におけるｐＨ調整溶液の循環を早急に行うことができ、異常事態の早期沈静化を図ることができる。
【００９１】
また、筒状部材８１の軸線方向を重力方向とすることで、収容部８５の水没している部分のｐＨ調整剤が溶解し漏出すると、収容部８５の水没していない部分のｐＨ調整剤が、その自重により収容部８５内の下方の水没部分に落下し、水没して溶解し漏出する。つまり、収容部８５の浸水している部分のｐＨ調整剤が溶解し漏出するばかりでなく、収容部８５の浸水していない部分のｐＨ調整剤も、落下、溶解し漏出することになる。これにより、ｐＨ調整剤の溶解速度を向上させることができる。このため、原子炉格納容器１０内におけるｐＨ調整溶液の循環を早急に行うことができ、異常事態の早期沈静化を図ることができる。
【００９２】
なお、本実施の形態においては、外筒８２、内筒８３が円筒状の形状を有することとしているが、これに限定されない。例えば、外筒８２、内筒８３は、多角筒状の形状を有することとしても良い。
【００９３】
＜第３の実施の形態＞
次に、図１０乃至図１２を参照して、第３の実施の形態に係るｐＨ調整装置について説明する。図１０は、本実施の形態に係るｐＨ調整装置の外観斜視図である。図１１及び図１２は、図１０の平面Ｃにおいて切断したｐＨ調整装置の断面図である。このｐＨ調整装置９０は、複数の開口部が形成されたバスケットフレーム１００と、バスケットフレーム１００に張られる金網１０１と、バスケットフレーム１００を支持する４つの脚部１０２と、を備えている。
【００９４】
バスケットフレーム１００は、直方体状に構成されており、その上面及び下面には、方形状の上面開口部１０５及び下面開口部が形成され、上面開口部１０５には目の粗い金網１０１が張られ、下面開口部には目の細かい金網１０１が張られている。つまり、目の細かい金網１０１とは、粉末状のｐＨ調整剤がこぼれ落ちず、且つ、ホウ酸水に溶解したｐＨ調整剤（ｐＨ調整溶液）が漏出可能となる金網である。
【００９５】
また、バスケットフレーム１００の４つの側面のそれぞれには、方形状の側面開口部１０７が形成されている。そして側面開口部１０７には、目の細かい金網１０１が張られている。
【００９６】
このため、ｐＨ調整装置９０には、金網１０１で区画された直方体状の画成部が形成されており、この画成部が、ｐＨ調整剤を収容する収容部１１１となっている。
【００９７】
このバスケットフレーム１００を支持する４つの脚部１０２は、バスケットフレーム１００の下面の四隅に設けられており、バスケットフレーム１００に一体形成されている。
【００９８】
また、収容部１１１の底部、つまり下面開口部に張られた金網１０１上には、１つ又は複数（ここでは、３行×４列の１２個）の筒状部材１０８が、その軸線方向が重力方向を向くように配置されている。筒状部材１０８は、目の細かい金網で構成されている。
【００９９】
次に、ｐＨ調整装置９０の作用について説明する。異常事態が発生すると、原子炉格納容器１０内を冷却するための冷却水が原子炉格納容器１０内に注水される。これにより、原子炉格納容器１０内の水位が上昇する。また、一次冷却系統３の配管が破断すると、一次冷却系統３内の一次冷却水が原子炉格納容器１０内に漏水し、これによっても原子炉格納容器１０内の水位が上昇する。
【０１００】
図１２に示すように、原子炉格納容器１０内の水位Ｗが上昇すると、先ず収容部１１１の下端側が水没する。このとき、側面開口部１０７に金網１０１を張ってあるので、側面開口部１０７の金網１０１の網目から水が収容部１１１に浸水する。これにより、ｐＨ調整剤を溶解させ漏出させることができる。また、下面開口部にも金網１０１を張ってあるので、下面開口部の金網１０１の網目からも水が収容部１１１に浸水する。これにより、ｐＨ調整剤の溶解速度を更に向上させることができる。さらに、筒状部材１０８も金網としているので、筒状部材１０８の網目からも水が収容部１１１に浸水する。これにより、ｐＨ調整剤の溶解速度を向上させることができる。
【０１０１】
さらに、収容部１１１の水没している部分のｐＨ調整剤が溶解すると、収容部１１１の水没していない部分のｐＨ調整剤が、その自重により収容部１１１内の下方の水没部分に落下し、水没して溶解し漏出する。つまり、収容部１１１の浸水している部分のｐＨ調整剤が溶解し漏出するばかりでなく、収容部１１１の浸水していない部分のｐＨ調整剤も、溶解し漏出することになる。これにより、ｐＨ調整剤の溶解速度を更に向上させることができる。
【０１０２】
そして、生成されたｐＨ調整溶液は、側面開口部１０７の金網１０１、下面開口部の金網１０１及び筒状部材１０８の網目から外部に流出し、燃料取替用水ピット３５に流入する。燃料取替用水ピット３５へ流入したｐＨ調整溶液は、燃料取替用水ピット３５内のホウ酸水と混合し、この後、燃料取替用水ピット３５においてｐＨ調整溶液が混合したホウ酸水を、スプレイポンプ４６により汲み上げ、汲み上げたホウ酸水を、スプレイリング４５を介して、原子炉格納容器１０の内部へ散布する。これにより、ｐＨ調整溶液が原子炉格納容器１０内を循環することで、原子炉格納容器１０内のｐＨが調整されると共に、原子炉格納容器１０内を冷却する。
【０１０３】
以上の構成によれば、ｐＨ調整装置９０において、側面開口部１０７に金網１０１を張ることで、水を側面開口部１０７の金網１０１の網目から収容部１１１に浸水させ、ｐＨ調整剤を溶解させることができる。また、下面開口部に金網１０１を張ることで、水を下面開口部の金網１０１の網目からも収容部１１１に浸水させ、ｐＨ調整剤の溶解速度を向上させることができる。このため、原子炉格納容器１０内におけるｐＨ調整溶液の循環を早急に行うことができ、異常事態の早期沈静化を図ることができる。また、下面開口部の金網１０１上に金網で構成される筒状部材１０８を配置することで、水を筒状部材１０８の網目からも収容部１１１に浸水させ、ｐＨ調整剤の溶解速度を更に向上させることができる。このため、原子炉格納容器１０内におけるｐＨ調整溶液の循環を早急に行うことができ、異常事態の早期沈静化を図ることができる。
【０１０４】
また、筒状部材１０８の軸線方向を重力方向とすることで、収容部１１１の水没している部分のｐＨ調整剤が溶解し漏出すると、収容部１１１の水没していない部分のｐＨ調整剤が、その自重により収容部１１１内の下方の水没部分に落下し、水没して溶解し漏出する。つまり、収容部１１１の浸水している部分のｐＨ調整剤が溶解し漏出するばかりでなく、収容部１１１の浸水していない部分のｐＨ調整剤も、落下、溶解し漏出することになる。これにより、ｐＨ調整剤の溶解速度を向上させることができる。このため、原子炉格納容器１０内におけるｐＨ調整溶液の循環を早急に行うことができ、異常事態の早期沈静化を図ることができる。
【０１０５】
なお、本実施の形態においては、筒状部材１０８が円筒状の形状を有することとしているが、これに限定されない。例えば、筒状部材１０８は、多角筒状の形状を有することとしても良い。
【０１０６】
また、ｐＨ調整装置９０の収容部１１１を単層構造としたが、他の実施の形態のように多層構造としても良い。これにより、ｐＨ調整剤の溶解速度を更に向上させることができる。
【０１０７】
＜第４の実施の形態＞
次に、図１３乃至図１７を参照して、第４の実施の形態に係るｐＨ調整装置について説明する。このｐＨ調整装置１２０は、複数の開口部が形成されｐＨ調整剤を収容したバスケット１２２と、原子炉格納容器１０内に散布された水をバスケット１２２の上方に導く導水手段としての樋１２１と、を備えている。
【０１０８】
先に説明したように、原子炉格納容器１０には、燃料取替用水ピットの上方に作業フロア４３が形成されており、この作業フロア４３には、スプレイ設備３６のスプレイリング４５から散布された水が、燃料取替用水ピット３５に返流するように、返流管路が形成されている（図２参照）。
【０１０９】
そして、図１３に示すように、樋１２１は、基端が作業フロア４３に形成された返流管路４３ａの下に位置し、先端部１２１ａがバスケット１２２の上面上に位置している。そして、樋１２１は、基端から先端部１２１ａに向かって下り傾斜している。そのため、返流管路４３ａに流入した水は、樋１２１によって導かれ、樋１２１の先端部１２１ａから流れ出て、バスケット１２２の上面上に降り注ぐ。
【０１１０】
次に、図１４乃至図１６を参照して、バスケット１２２について説明する。このバスケット１２２は、複数の開口部が形成されたバスケットフレーム１６０と、バスケットフレーム１６０に張られる金網１６１と、バスケットフレーム１６０を支持する４つの脚部１６２と、を備えている。
【０１１１】
バスケットフレーム１６０は、直方体状に構成されており、その上面及び下面には、方形状の上面開口部１６５及び下面開口部が形成され、上面開口部１６５には目の粗い金網１６１が張られ、下面開口部には目の細かい金網１６１が張られている。つまり、目の細かい金網１６１とは、粉末状のｐＨ調整剤がこぼれ落ちず、且つ、ホウ酸水に溶解したｐＨ調整剤（ｐＨ調整溶液）が漏出可能となる金網である。
【０１１２】
また、バスケットフレーム１６０の４つの側面のそれぞれには、方形状の側面開口部１６７が形成されており、この４つの側面開口部１６７のそれぞれに、水平方向に延びる６つの水平フレーム１６８を、所定の間隙を空けて鉛直方向に配設することで、分割された７つの分割側面開口部１７０を形成している。つまり、７つの分割側面開口部１７０は、鉛直方向に積層して形成されており、各分割側面開口部１７０は水平方向に延びるように開口されている。そして鉛直方向に積層された７つの分割側面開口部１７０のうち、上方から１つ目、３つ目、５つ目、７つ目の４つの分割側面開口部１７０には、目の細かい金網１６１が張られており、上方から２つ目、４つ目、６つ目の３つの分割側面開口部１７０は、そのまま開口した状態となっている。
【０１１３】
また、６つの水平フレーム１６８は四方の側面開口部１６７にそれぞれ設けられており、四方の側面開口部１６７における上方から１つ目の四方の水平フレーム１６８は四周枠状に構成されている。そして、この枠内には目の細かい金網１６１が張られている。同様に、四方の側面開口部１６７における上方から他の目の四方の水平フレーム１６８も四周枠状に構成され、この枠内には目の細かい金網１６１が張られている。つまり、上面に張られた金網１６１と下面に張られた金網１６１との間には、６つの金網１６１が張られている（図１５及び図１６参照）。
【０１１４】
このため、バスケット１２２には、金網１６１で区画された直方体状の４つの画成部が鉛直方向に４つ積層して形成されており、この４つの画成部が、ｐＨ調整剤を収容する収容部１７１となっている。つまり、４つの収容部１７１は、所定の第２間隙Ｌ２を介して鉛直方向に積層して配設されている。
【０１１５】
このバスケットフレーム１６０を支持する４つの脚部１６２は、バスケットフレーム１６０の下面の四隅に設けられており、バスケットフレーム１６０に一体形成されている。
【０１１６】
以上の構成によれば、ｐＨ調整装置１２０において、異常事態が発生し、スプレイ設備３６のスプレイリング４５によって原子炉格納容器１０内に水が散布されると、散布された水は、樋１２１によって導かれ、樋１２１の先端部１２１ａから流れ出て、バスケット１２２の上面上に降り注ぐ。これにより、バスケット１２２の収容部１７１内のｐＨ調整剤が溶解してｐＨ調整溶液が漏出する。つまり、原子炉格納容器１０内の水位がバスケット１２２の収容部１７１まで上昇するよりも前に、ｐＨ調整溶液が、燃料取替用水ピット３５に流入する。燃料取替用水ピット３５へ流入したｐＨ調整溶液は、燃料取替用水ピット３５内のホウ酸水と混合し、この後、燃料取替用水ピット３５においてｐＨ調整溶液が混合したホウ酸水を、スプレイポンプ４６により汲み上げ、汲み上げたホウ酸水を、スプレイリング４５を介して、原子炉格納容器１０の内部へ散布する。これにより、ｐＨ調整溶液が原子炉格納容器１０内を循環することで、原子炉格納容器１０内のｐＨが調整される。このため、原子炉格納容器１０内におけるｐＨ調整溶液の循環を早急に行うことができ、異常事態の早期沈静化を図ることができる。
【０１１７】
また、原子炉格納容器１０内の水位がバスケット１２２の収容部１７１まで上昇すると、下面開口部の金網１６１及び分割側面開口部１７０の金網１６１から水が収容部１７１に浸水し、収容部１７１内のｐＨ調整剤が溶解し漏出する。収容部１７１から漏出したｐＨ調整溶液は、燃料取替用水ピット３５に流入する。燃料取替用水ピット３５へ流入したｐＨ調整溶液は、燃料取替用水ピット３５内のホウ酸水と混合し、この後、燃料取替用水ピット３５においてｐＨ調整溶液が混合したホウ酸水を、スプレイポンプ４６により汲み上げ、汲み上げたホウ酸水を、スプレイリング４５を介して、原子炉格納容器１０の内部へ散布する。これにより、ｐＨ調整溶液が原子炉格納容器１０内を循環することで、原子炉格納容器１０内のｐＨが調整される。
【０１１８】
なお、バスケット１２２の収容部１７１を多層構造としたが、他の実施の形態のように単層構造としても良い。
【０１１９】
また、図１７に示すように、樋１２１の導水路上、より好適には作業フロア４３の返流管路４３ａの直下に、ｐＨ調整剤が収容された小型の第２のバスケット１２３を配置しても良い。第２のバスケット１２３の構造は、バスケット１２２と同様の多層構造であっても良いし、他の実施の形態のように単層構造であっても良い。これにより、樋１２１の導水路上を水が流れると、その水にｐＨ調整剤が溶解し、ｐＨ調整溶液となり、ｐＨ調整溶液が原子炉格納容器１０内を循環することで、原子炉格納容器１０内のｐＨが調整される。また、第２のバスケット１２３を返流管路４３ａの直下に配置することにより、返流管路４３ａ内を落下する水の勢いで第２のバスケット１２３内のｐＨ調整剤が溶解し易くなり、ｐＨ調整剤の溶解速度を更に向上させることができる。
【０１２０】
＜第５の実施の形態＞
次に、図１８を参照して、第５の実施の形態に係るｐＨ調整装置について説明する。このｐＨ調整装置１３０は、複数の開口部が形成されｐＨ調整剤を収容した１つ又は複数（ここでは、４つ）のバスケット１３５〜１３８と、原子炉格納容器１０内に散布された水をバスケット１３５〜１３８の上方にそれぞれ導く導水手段としての１つ又は複数（ここでは、４つ）の樋１３１〜１３４と、を備えている。
【０１２１】
バスケット１３５〜１３８は、先に説明したバスケット１２２と同様にｐＨ調整剤の収容部を多層構造としても良いし、他の実施の形態のように単層構造としても良い。
【０１２２】
先に説明したように、原子炉格納容器１０には、燃料取替用水ピットの上方に作業フロア４３が形成されており、この作業フロア４３には、スプレイ設備３６のスプレイリング４５から散布された水が、燃料取替用水ピット３５に返流するように、返流管路が形成されている（図２参照）。
【０１２３】
そして、図１８に示すように、樋１３１は、基端が作業フロア４３に形成された第１の返流管路４３ａの下に位置しており、先端がバスケット１３５の上面上に位置しており、基端から先端に向かって下り傾斜している。また、樋１３１は、水を堰き止めて貯水できる堰き止め部１３１ａを先端に有しており、堰き止め部１３１ａは、バスケット１３５の上面上に位置している。そのため、返流管路４３ａに流入した水は、樋１３１によって導かれ、樋１３１の堰き止め部１３１ａで堰き止めて貯水され、堰き止め部１３１ａから流れ出て、バスケット１３５の上面上に降り注ぐ。
【０１２４】
同様に、樋１３２は、基端が作業フロア４３に形成された第１の返流管路４３ａの下に位置しており、先端がバスケット１３６の上面上に位置しており、基端から先端に向かって下り傾斜している。また、樋１３２は、水を堰き止めて貯水できる堰き止め部１３２ａを先端に有しており、堰き止め部１３２ａは、バスケット１３６の上面上に位置している。そのため、第１の返流管路４３ａに流入した水は、樋１３２によって導かれ、樋１３２の堰き止め部１３２ａで堰き止めて貯水され、堰き止め部１３２ａから流れ出て、バスケット１３６の上面上に降り注ぐ。
【０１２５】
同様に、樋１３３は、基端が作業フロア４３に形成された第２の返流管路４３ｂの下に位置しており、先端がバスケット１３７の上面上に位置しており、基端から先端に向かって下り傾斜している。また、樋１３３は、水を堰き止めて貯水できる堰き止め部１３３ａを先端に有しており、堰き止め部１３３ａは、バスケット１３７の上面上に位置している。そのため、第２の返流管路４３ｂに流入した水は、樋１３３によって導かれ、樋１３３の堰き止め部１３３ａで堰き止めて貯水され、堰き止め部１３３ａから流れ出て、バスケット１３７の上面上に降り注ぐ。
【０１２６】
同様に、樋１３４は、基端が作業フロア４３に形成された第２の返流管路４３ｂの下に位置しており、先端がバスケット１３８の上面上に位置しており、基端から先端に向かって下り傾斜している。また、樋１３４は、水を堰き止めて貯水できる堰き止め部１３４ａを先端に有しており、堰き止め部１３４ａは、バスケット１３８の上面上に位置している。そのため、第２の返流管路４３ｂに流入した水は、樋１３４によって導かれ、樋１３４の堰き止め部１３４ａで堰き止めて貯水され、堰き止め部１３４ａから流れ出て、バスケット１３８の上面上に降り注ぐ。
【０１２７】
以上の構成によれば、ｐＨ調整装置１３０において、異常事態が発生し、スプレイ設備３６のスプレイリング４５によって原子炉格納容器１０内に水が散布されると、散布された水は、樋１３１〜１３４によって導かれ、樋１３１〜１３４の堰き止め部１３１ａ〜１３４ａによって堰き止めて貯水され、堰き止め部１３１ａ〜１３４ａから流れ出て、バスケット１３５〜１３８の上面上に降り注ぐ。これにより、バスケット１３５〜１３８の収容部内のｐＨ調整剤が溶解してｐＨ調整溶液が漏出する。つまり、原子炉格納容器１０内の水位がバスケット１３５〜１３８の収容部まで上昇するよりも前に、ｐＨ調整溶液が、燃料取替用水ピット３５に流入する。燃料取替用水ピット３５へ流入したｐＨ調整溶液は、燃料取替用水ピット３５内のホウ酸水と混合し、この後、燃料取替用水ピット３５においてｐＨ調整溶液が混合したホウ酸水を、スプレイポンプ４６により汲み上げ、汲み上げたホウ酸水を、スプレイリング４５を介して、原子炉格納容器１０の内部へ散布する。これにより、ｐＨ調整溶液が原子炉格納容器１０内を循環することで、原子炉格納容器１０内のｐＨが調整される。このため、原子炉格納容器１０内におけるｐＨ調整溶液の循環を早急に行うことができ、異常事態の早期沈静化を図ることができる。
【０１２８】
また、原子炉格納容器１０内の水位がバスケット１３５〜１３８の収容部まで上昇すると、水が収容部に浸水し、収容部内のｐＨ調整剤が溶解し漏出する。収容部から漏出したｐＨ調整溶液は、燃料取替用水ピット３５に流入する。燃料取替用水ピット３５へ流入したｐＨ調整溶液は、燃料取替用水ピット３５内のホウ酸水と混合し、この後、燃料取替用水ピット３５においてｐＨ調整溶液が混合したホウ酸水を、スプレイポンプ４６により汲み上げ、汲み上げたホウ酸水を、スプレイリング４５を介して、原子炉格納容器１０の内部へ散布する。これにより、ｐＨ調整溶液が原子炉格納容器１０内を循環することで、原子炉格納容器１０内のｐＨが調整される。
【０１２９】
また、堰き止め部１３１ａ〜１３４ａで水を堰き止めるので、水が高い位置からバスケット１３５〜１３８に降り注ぐ。この水の勢いにより、バスケット１３５〜１３８の収容部内のｐＨ調整剤の溶解速度を向上させることができる。このため、原子炉格納容器１０内におけるｐＨ調整溶液の循環を早急に行うことができ、異常事態の早期沈静化を図ることができる。
【０１３０】
＜第６の実施の形態＞
次に、図１９乃至図２０を参照して、第６の実施の形態に係るｐＨ調整装置について説明する。このｐＨ調整装置１４０は、作業フロア４３の下面に設置され、ｐＨ調整剤を収容した容器１４１と、容器１４１を開放する開放手段１４２と、を備えている。なお、ここでは容器１４１が作業フロア４３の下面に設置されることとしているが、原子炉格納容器１０内に架け渡された他の梁材に設置されるようにしても良い。
【０１３１】
容器１４１は、鉛直下方向（重力方向）に開口を有する筺体１４４と、筺体１４４の開口を塞ぐ扉１４５、１４６と、を備える。筺体１４４の内部は、ｐＨ調整剤を収容する収容部１４４ａとなっている。扉１４５、１４６は、筺体１４４の両側部に相対するように設置されたヒンジ１４７、１４８により筐体１４４に取り付けられ、鉛直下方向（重力方向）に向かって観音開き可能となっている。
【０１３２】
開放手段１４２は、水容器１４９、１５３と、水容器１４９を扉１４５に連結する連結部材１５７と、水容器１５３を扉１４６に連結する連結部材１５８と、水容器１４９に取り付けられた吸水部材１５０と、水容器１５３に取り付けられた吸水部材１５４と、水容器１４９を支持する支持部材１５１、１５２と、水容器１５３を支持する支持部材１５５、１５６と、を備える。
【０１３３】
連結部材１５７、１５８は、例えば、棒、ワイヤー等である。吸水部材１５０、１５４は、例えば吸水ポリマー等である。吸水部材１５０、１５４は、水容器１４９、１５３の下面に取り付けられている。なお、吸水部材１５０、１５４は、水容器１４９、１５３の側面など他の部位に取り付けられても良い。
【０１３４】
水容器１４９は、原子炉格納容器１０の床Ｆに形成された孔Ｆ１ａに、鉛直方向に摺動可能に遊嵌している。吸水部材１５０は、孔Ｆ１ａに、鉛直方向に摺動可能に嵌合している。水容器１５３は、原子炉格納容器１０の床Ｆに形成された孔Ｆ２ａに、鉛直方向に摺動可能に遊嵌している。吸水部材１５４は、孔Ｆ２ａに、鉛直方向に摺動可能に嵌合している。
【０１３５】
支持部材１５１、１５２、１５５、１５６は、例えばバネ、樹脂等の弾性部材であり、孔Ｆ１ａ、Ｆ２ａの底面に設置され、水容器１４９、１５３を鉛直上方向（重力と反対方向）に付勢している。
【０１３６】
次に、ｐＨ調整装置１４０の作用について説明する。異常事態が発生すると、原子炉格納容器１０内を冷却するための冷却水が原子炉格納容器１０内に注水される。これにより、原子炉格納容器１０内の水位が上昇する。また、一次冷却系統３の配管が破断すると、一次冷却系統３内の一次冷却水が原子炉格納容器１０内に漏水し、これによっても原子炉格納容器１０内の水位が上昇する。
【０１３７】
図２０に示すように、原子炉格納容器１０内の水位Ｗが上昇すると、水容器１４９、１５３に水が流入する。これにより、開放手段１４２に鉛直下方向（重力方向）の荷重がかかる。また、吸水部材１５０が、水容器１４９と孔Ｆ１ａとの間の僅かな隙間から浸水した水を吸水する。なお、吸水部材１５０が孔Ｆ１ａに嵌合しているので、孔Ｆ１ａと吸水部材１５０とで画成される空間Ｆ１ｂには水が浸水しない。同様に、吸水部材１５４が、水容器１５３と孔Ｆ２ａとの間の僅かな隙間から浸水した水を吸水する。なお、吸水部材１５４が孔Ｆ２ａに嵌合しているので、孔Ｆ２ａと吸水部材１５４とで画成される空間Ｆ２ｂには水が浸水しない。これにより、開放手段１４２に鉛直下方向（重力方向）の荷重が更にかかる。
【０１３８】
これらの荷重により、支持部材１５１、１５２、１５５、１５６が縮み、開放手段１４２が鉛直下方向（重力方向）に変位する。この変位は、連結部材１５７、１５８によって扉１４５、１４６に伝達され、扉１４５、１４６は、ヒンジ１４７、１４８を中心として回動し、扉１４５、１４６は観音開きする。これにより、収容部１４４ａ内のｐＨ調整剤が鉛直下方向（重力方向）に落下し、燃料取替用水ピット３５に流入、溶解する。燃料取替用水ピット３５で生成されたｐＨ調整溶液は、燃料取替用水ピット３５内のホウ酸水と混合し、この後、燃料取替用水ピット３５においてｐＨ調整溶液が混合したホウ酸水を、スプレイポンプ４６により汲み上げ、汲み上げたホウ酸水を、スプレイリング４５を介して、原子炉格納容器１０の内部へ散布する。これにより、ｐＨ調整溶液が原子炉格納容器１０内を循環することで、原子炉格納容器１０内のｐＨが調整されると共に、原子炉格納容器１０内が冷却される。
【０１３９】
以上の構成によれば、ｐＨ調整装置１４０において、水容器１４９、１５３に流入した水の荷重により、開放手段１４２が鉛直下方向（重力方向）に変位することで、ｐＨ調整剤を収容する容器１４１の扉１４５、１４６が開放され、収容部１４４ａ内のｐＨ調整剤が落下し、燃料取替用水ピット３５に流入、溶解することができる。また、水容器１４９、１５３に吸水部材１５０、１５４を取り付けることで、吸水部材１５０、１５４に吸水された水の荷重により、開放手段１４２が鉛直下方向（重力方向）に変位することで、ｐＨ調整剤を収容する容器１４１の扉１４５、１４６が開放され、収容部１４４ａ内のｐＨ調整剤が落下し、燃料取替用水ピット３５に流入、溶解することができる。このため、原子炉格納容器１０内におけるｐＨ調整溶液の循環を早急且つ確実に行うことができ、異常事態の早期沈静化を図ることができる。また、水容器１４９、１５３を支持する支持部材１５１、１５２、１５５、１５６を備えることで、原子炉が通常状態のときに誤って扉１４５、１４６が開放してしまう可能性を低減することができる。
【０１４０】
なお、本実施の形態においては、支持部材１５１、１５２、１５５、１５６で水容器１４９、１５３を支持することとしているが、水容器１４９、１５３を連結部材１５７、１５８で吊り下げることとしても良い。これにより、支持部材１５１、１５２、１５５、１５６を不要とし、部品点数を削減し、コストダウンを図ることができる。また、支持部材１５１、１５２、１５５、１５６は、水容器１４９、１５３に流入した水の荷重及び／又は吸水部材１５０、１５４に吸水された水の荷重で破損する非弾性部材であっても良い。
【０１４１】
また、本実施の形態においては、観音開きする２枚の扉１４５、１４６を備えることとしているが、片開きする１枚の扉を備えることとしても良い。これにより、部品点数を削減し、コストダウンを図ることができる。また、扉１４５、１４６は、ヒンジ１４７、１４８で開くのではなく、筐体１４４から分離する構成としても良い。
【０１４２】
＜第７の実施の形態＞
次に、図２１乃至図２３を参照して、第７の実施の形態に係るｐＨ調整装置について説明する。このｐＨ調整装置１８０は、作業フロア４３の下面に吊り下げ部材１８２によって吊り下げられ、ｐＨ調整剤を収容した袋部材１８１と、袋部材１８１を開放する開放手段と、を備えている。なお、ここでは袋部材１８１が作業フロア４３の下面に吊り下げられることとしているが、原子炉格納容器１０内に架け渡された他の梁材に吊り下げられるようにしても良い。
【０１４３】
袋部材１８１は、好適には、透水性を有する目の細かい網であり、内部にｐＨ調整剤と吸水部材１８７を収容しており、吊り下げ部材１８２によって口が固縛され、吊り下げられている。吊り下げ部材１８２は、例えばワイヤー等である。吸水部材１８７は、例えば吸水ポリマー等である。
【０１４４】
開放手段は、袋部材１８１に鉛直下側から当接する水容器１８３と、水容器１８３に取り付けられた吸水部材１８４と、水容器１８３を支持する支持部材１８５、１８６と、を備え、ｐＨ調整剤の荷重の少なくとも一部を支持している。吸水部材１８４は、例えば吸水ポリマー等である。吸水部材１８４は、水容器１８３の下面に取り付けられている。なお、吸水部材１８４は、水容器１８３の側面など他の部位に取り付けられても良い。
【０１４５】
水容器１８３は、原子炉格納容器１０の床Ｆに形成された孔Ｆ３ａに、鉛直方向に摺動可能に遊嵌している。吸水部材１８４は、孔Ｆ３ａに、鉛直方向に摺動可能に嵌合している。
【０１４６】
支持部材１８５、１８６は、例えばバネ、樹脂等の弾性部材であり、孔Ｆ３ａの底面に設置され、水容器１８３を鉛直上方向（重力と反対方向）に付勢している。この付勢力により、開放手段は、ｐＨ調整剤の荷重の少なくとも一部を支持している。
【０１４７】
次に、ｐＨ調整装置１８０の作用について説明する。異常事態が発生すると、原子炉格納容器１０内を冷却するための冷却水が原子炉格納容器１０内に注水される。これにより、原子炉格納容器１０内の水位が上昇する。また、一次冷却系統３の配管が破断すると、一次冷却系統３内の一次冷却水が原子炉格納容器１０内に漏水し、これによっても原子炉格納容器１０内の水位が上昇する。
【０１４８】
図２２に示すように、原子炉格納容器１０内の水位Ｗが上昇すると、水容器１８３に水が流入する。これにより、開放手段に鉛直下方向（重力方向）の荷重がかかる。また、吸水部材１８４が、水容器１８３と孔Ｆ３ａとの間の僅かな隙間から浸水した水を吸水する。なお、吸水部材１８４が孔Ｆ３ａに嵌合しているので、孔Ｆ３ａと吸水部材１８４とで画成される空間Ｆ３ｂには水が浸水しない。これにより、開放手段に鉛直下方向（重力方向）の荷重が更にかかる。これらの荷重により、支持部材１８５、１８６が縮み、開放手段が鉛直下方向（重力方向）に変位し、袋部材１８１を支持する力が減少する。また、袋部材１８１を透水した水が吸水部材１８７に吸水される。これにより、吸水部材１８７に吸水された水の荷重が袋部材１８１にかかる。これにより、袋部材１８１の固縛部には、ｐＨ調整剤の荷重及び吸水部材１８７に吸水された水の荷重がかかる。
【０１４９】
すると、図２３に示すように、吊り下げ部材１８２の固縛がほどけ、袋部材１８１は開放され、ｐＨ調整剤が水に浸かり、燃料取替用水ピット３５に流入、溶解する。燃料取替用水ピット３５で生成されたｐＨ調整溶液は、燃料取替用水ピット３５内のホウ酸水と混合し、この後、燃料取替用水ピット３５においてｐＨ調整溶液が混合したホウ酸水を、スプレイポンプ４６により汲み上げ、汲み上げたホウ酸水を、スプレイリング４５を介して、原子炉格納容器１０の内部へ散布する。これにより、ｐＨ調整溶液が原子炉格納容器１０内を循環することで、原子炉格納容器１０内のｐＨが調整されると共に、原子炉格納容器１０内が冷却される。
【０１５０】
以上の構成によれば、ｐＨ調整装置１８０において、水容器１８３に流入した水の荷重により、開放手段が鉛直下方向（重力方向）に変位することで、開放手段が袋部材１８１を支持する力が減少し、ｐＨ調整剤の荷重が袋部材１８１の固縛部にかかり、吊り下げ部材１８２の固縛がほどけ、袋部材１８１が開放され、袋部材１８１内のｐＨ調整剤が水に浸かり、燃料取替用水ピット３５に流入、溶解することができる。また、水容器１８３に吸水部材１８４を取り付けることで、吸水部材１８４に吸水された水の荷重により、開放手段が鉛直下方向（重力方向）に変位することで、ｐＨ調整剤の荷重が袋部材１８１の固縛部にかかり、吊り下げ部材１８２の固縛がほどけ、袋部材１８１が開放され、袋部材１８１内のｐＨ調整剤が水に浸かり、燃料取替用水ピット３５に流入、溶解することができる。このため、原子炉格納容器１０内におけるｐＨ調整溶液の循環を早急且つ確実に行うことができ、異常事態の早期沈静化を図ることができる。
【０１５１】
また、袋部材１８１として透水性の部材を用い、袋部材１８１の内部に吸水部材１８７を収納することで、袋部材１８１を透水した水が吸水部材１８７に吸水される。これにより、吸水部材１８７に吸水された水の荷重が袋部材１８１にかかる。これにより、袋部材１８１の固縛部には、ｐＨ調整剤の荷重及び吸水部材１８７に吸水された水の荷重がかかり、吊り下げ部材１８２の固縛がほどけ、袋部材１８１が開放される。これにより、袋部材１８１の開放を迅速且つ確実に行うことができ、原子炉格納容器１０内におけるｐＨ調整溶液の循環を早急且つ確実に行うことができ、異常事態の早期沈静化を図ることができる。また、水容器１８３を支持する支持部材１８５、１８６を備えることで、原子炉が通常状態のときに誤って袋部材１８１が開放してしまう可能性を低減することができる。
【０１５２】
なお、本実施の形態においては、袋部材１８１の固縛部にｐＨ調整剤の荷重がかかったときに、吊り下げ部材１８２の固縛がほどけることとしたが、袋部材１８１が破けることとしても良い。
【符号の説明】
【０１５３】
１    原子力発電プラント
１０    原子炉格納容器
３０    ｐＨ調整システム
３５    燃料取替用水ピット
３６    スプレイ設備
４５    スプレイリング
４６    スプレイポンプ
５０、８０、９０、１２０、１３０、１４０、１８０    ｐＨ調整装置
６０、１００、１６０    バスケットフレーム
６１、１０１、１６１    金網
６２、１０２、１６２    脚部
６３    底板
６５、１０５、１６５    上面開口部
６７、１０７、１６７    側面開口部
６８、１６８    水平フレーム
７０、１７０    分割側面開口部
７１、８５、１１１、１７１    収容部
８１、１０８    筒状部材
８２    外筒
８３    内筒
８４    底材
１２１、１３１〜１３４  樋
１２２、１２３、１３５〜１３８  バスケット
１４１  容器
１４２  開放手段
１８１  袋部材
１４９、１５３、１８３  水容器
１５０、１５４、１８４、１８７  吸水部材
１５１、１５２、１５５、１５６、１８５、１８６  支持部材
【図１】
2014109486.tif 000003
【図２】
2014109486.tif 000004
【図３】
2014109486.tif 000005
【図４】
2014109486.tif 000006
【図５】
2014109486.tif 000007
【図６】
2014109486.tif 000008
【図７】
2014109486.tif 000009
【図８】
2014109486.tif 000010
【図９】
2014109486.tif 000011
【図１０】
2014109486.tif 000012
【図１１】
2014109486.tif 000013
【図１２】
2014109486.tif 000014
【図１３】
2014109486.tif 000015
【図１４】
2014109486.tif 000016
【図１５】
2014109486.tif 000017
【図１６】
2014109486.tif 000018
【図１７】
2014109486.tif 000019
【図１８】
2014109486.tif 000020
【図１９】
2014109486.tif 000021
【図２０】
2014109486.tif 000022
【図２１】
2014109486.tif 000023
【図２２】
2014109486.tif 000024
【図２３】
2014109486.tif 000025